(57)【要約】【課題】介助作業の負担を軽減できるシャワーシステムを提供する。【解決手段】シャワーシステムは、ミキシング部から供給される所定温度の水をシャワーヘッドから吐出可能とする。当該シャワーシステムは、前記シャワーヘッドに設けられる遠隔操作部１２と、水とは異なる種類の液体を貯蔵する貯蔵部と、前記貯蔵部に貯蔵される液体を前記シャワーヘッドに供給可能とする駆動部１５と、前記シャワーヘッドから吐出される液体の種類を変更可能とする切換部１４と、遠隔操作部１２からの情報に基づいて駆動部１５及び切換部１４を制御する制御部１３と、を備える。【選択図】図４
2017023387.tif 000002
【特許請求の範囲】
【請求項１】
ミキシング部から供給される所定温度の水をシャワーヘッドから吐出可能とするシャワーシステムであって、
前記シャワーヘッドに設けられる遠隔操作部と、
水とは異なる種類の液体を貯蔵する貯蔵部と、
前記貯蔵部に貯蔵される液体を前記シャワーヘッドに供給可能とする駆動部と、
前記シャワーヘッドから吐出される液体の種類を変更可能とする切換部と、
前記遠隔操作部からの情報に基づいて前記駆動部及び前記切換部を制御する制御部と、
を備えることを特徴とするシャワーシステム。
【請求項２】
前記シャワーヘッドは、３次元方向に移動可能に設けられていることを特徴とする請求項１に記載のシャワーシステム。
【請求項３】
前記貯蔵部を複数備え、
前記複数の貯蔵部は、互いに異なる種類の液体を貯蔵することを特徴とする請求項１又は２に記載のシャワーシステム。
【請求項４】
前記複数の貯蔵部には、洗身用の石鹸液を貯蔵する貯蔵部、洗髪液を貯蔵する貯蔵部、及び、清掃用の薬液を貯蔵する貯蔵部のうちの少なくともいずれか１つが含まれることを特徴とする請求項３に記載のシャワーシステム。
【請求項５】
前記制御部は、前記遠隔操作部からの情報に基づいて前記ミキシング部から供給される水の流量を調整可能に設けられていることを特徴とする請求項１から４のいずれか１項に記載のシャワーシステム。
【請求項６】
前記制御部は、前記遠隔操作部からの情報に基づいて前記ミキシング部から供給される水の温度を調整可能に設けられていることを特徴とする請求項１から５のいずれか１項に記載のシャワーシステム。
【請求項７】
前記遠隔操作部は、無線送信を行う通信部を含むことを特徴とする請求項１から６のいずれか１項に記載のシャワーシステム。
【請求項８】
前記遠隔操作部は、外力による変形に伴って発電する発電部を更に含み、
前記通信部は、前記発電部が発電した電力を用いて無線信号を送信することを特徴とする請求項７に記載のシャワーシステム。
【請求項９】
前記遠隔操作部は、前記シャワーヘッドの液体が吐出される側と反対側の面に設けられることを特徴とする請求項１から８のいずれか１項に記載のシャワーシステム。
【発明の詳細な説明】
【技術分野】
【０００１】
本発明は、介護現場において好適に使用できるシャワーシステムに関する。
【背景技術】
【０００２】
従来、病人、老人、身体障害者等の介助が必要な者（要介助者）を入浴させる場合に、浴槽外で、介助者によって要介助者の洗身作業や洗髪作業が行われる。洗身作業時や洗髪作業時には、汚れを落としたり、ボディーソープやシャンプー等を洗い流したりするためにハンドシャワーが使用される。このために、従来の介護用の入浴装置の中には、ハンドシャワーシステムが装備されているものがある。
【０００３】
従来の介護用の入浴装置に備えられるハンドシャワーシステムは、湯と水とを混合して適温水として供給するミキシングと、ホースによってミキシングに接続されるシャワーヘッドとを備えている。ミキシングには、シャワー水の流量を調整する機能や、シャワー水を止水する機能が備えられることがある。
【０００４】
洗身作業中等においては、介助者はシャワーヘッドを手で持ったまま要介助者の周囲を移動する。このために、ミキシングの位置が介助者の位置から離れてしまうことが多い。シャワー水を止水するために、一々手元から離れた位置にあるミキシングを操作しなければならないとすると、介助作業の効率が悪くなる。また、ミキシングの操作のために、要介助者から目を離す時間が長くなると危険である。このために、介護現場では、例えばボタンを押圧することによって止水と吐水とを切り換えられるメカ的な機構を備えるシャワーヘッドが使用されている。
【０００５】
なお、シャワーヘッドに関する従来技術としては、メカ的な止水機構を備えるタイプ以外に、水の供給状態を切り換える電磁弁を制御できるように圧電無線スイッチを備えるタイプがある（例えば特許文献１参照）。また、従来のシャワーヘッドには、吐止水、流量調節、温度調節ができるように電気的な操作部が設けられたものがある（例えば特許文献２参照）。更に、従来のシャワーヘッドには、シャワーヘッドを保持する利用者のジェスチャ動作に基づいてシャワーからの出湯量を制御できるように、加速度センサーや無線通信手段を備えるものがある（例えば特許文献３参照）。
【先行技術文献】
【特許文献】
【０００６】
【特許文献１】特開２００８−５５１６２号公報
【特許文献２】特開２００３−１３５３０１号公報
【特許文献３】特開２０１１−２５０９１８号公報
【発明の概要】
【発明が解決しようとする課題】
【０００７】
上述のような従来のシャワーシステムを用いても、要介助者の洗身や洗髪を行う際には、介助者は、ボディーソープやシャンプーの準備を行うために、シャワーヘッドからの吐水を止めて、シャワーヘッドを所定の場所に置いて作業を行う必要がある。このために、従来のシャワーシステムでは、介助作業の効率が悪いばかりか、介助者が要介助者から目を離す時間が長くなり易い。
【０００８】
また、従来のシャワーシステムは、浴槽や浴室の清掃の際にも利用される。この清掃作業も介助者にとっては負担であると考えられ、介助者の負担を少しでも軽減できることが望まれる。
【０００９】
以上の点に鑑みて、本発明の目的は、介助作業の負担を軽減できるシャワーシステムを提供することである。また、本発明の他の目的は、要介助者の安全を確保し易いシャワーシステムを提供することである。
【課題を解決するための手段】
【００１０】
上記目的を達成するために本発明のシャワーシステムは、ミキシング部から供給される所定温度の水をシャワーヘッドから吐出可能とするシャワーシステムであって、前記シャワーヘッドに設けられる遠隔操作部と、水とは異なる種類の液体を貯蔵する貯蔵部と、前記貯蔵部に貯蔵される液体を前記シャワーヘッドに供給可能とする駆動部と、前記シャワーヘッドから吐出される液体の種類を変更可能とする切換部と、前記遠隔操作部からの情報に基づいて前記駆動部及び前記切換部を制御する制御部と、を備える構成（第１の構成）になっている。
【００１１】
本構成によれば、シャワーヘッドを持ったまま遠隔操作部を操作するだけで、シャワーヘッドから吐出する液体の種類を変更することができる。すなわち、本構成のシャワーシステムの使用者（例えば介助者）は、手元にある遠隔操作部の操作だけで、例えばシャワーヘッドからボディーソープやシャンプーを吐出するようにできる。このために、本構成によれば、介助者は、例えばボディーソープやシャンプーの準備のために手に持ったシャワーヘッドを一時的に離す必要がなく、効率良く介助作業を行える。また、ボディーソープやシャンプーの準備作業を省略できるので、要介助者から目を離す時間を少なくできる。
【００１２】
上記第１の構成のシャワーシステムにおいて、前記シャワーヘッドは、３次元方向に移動可能に設けられている構成（第２の構成）であるのが好ましい。本構成のシャワーシステムは、いわゆるハンドシャワーシステムとできる。
【００１３】
上記第１又は第２の構成のシャワーシステムは、前記貯蔵部を複数備え、前記複数の貯蔵部は、互いに異なる種類の液体を貯蔵する構成（第３の構成）であるのが好ましい。本構成によれば、シャワーヘッドから吐出される液体の種類を多くできるために、介助者に使い勝手の良いシャワーシステムを提供できる。
【００１４】
上記第３の構成のシャワーシステムにおいて、前記複数の貯蔵部には、洗身用の石鹸液を貯蔵する貯蔵部、洗髪液を貯蔵する貯蔵部、及び、清掃用の薬液を貯蔵する貯蔵部のうちの少なくともいずれか１つが含まれる構成（第４の構成）が採用されてよい。本構成によれば、介護現場に好適なシャワーシステムを提供できる。
【００１５】
上記第１から第４のいずれかの構成のシャワーシステムにおいて、前記制御部は、前記遠隔操作部からの情報に基づいて前記ミキシング部から供給される水の流量を調整可能に設けられている構成（第５の構成）であってよい。本構成によれば、シャワーヘッドから吐出される水の量の調整も手元で行えるために便利である。
【００１６】
上記第１から第５のいずれかの構成のシャワーシステムにおいて、前記制御部は、前記遠隔操作部からの情報に基づいて前記ミキシング部から供給される水の温度を調整可能に設けられている構成（第６の構成）であってよい。本構成によれば、シャワーヘッドから吐出される水の温度の調整も手元で行えるために便利である。
【００１７】
上記第１から第６のいずれかの構成のシャワーシステムにおいて、前記遠隔操作部は、無線送信を行う通信部を含む構成（第７の構成）であるのが好ましい。本構成によれば、シャワーヘッドの向きに関係なく遠隔操作を行えるために便利である。
【００１８】
上記第７の構成のシャワーシステムにおいて、前記遠隔操作部は、外力による変形に伴って発電する発電部を更に含み、前記通信部は、前記発電部が発電した電力を用いて無線信号を送信する構成（第８の構成）であるのが好ましい。本構成によれば、シャワーヘッドにバッテリーを搭載する必要がない。なお、発電部は圧電素子を用いて構成されてよい。
【００１９】
上記第１から第８のいずれかの構成のシャワーシステムにおいて、前記遠隔操作部は、前記シャワーヘッドの液体が吐出される側と反対側の面に設けられる構成（第９の構成）であるのが好ましい。本構成によれば、介助作業のために水等の液体が吐出されるシャワーヘッドを持った介助者から遠隔操作部を見易くできる。すなわち、本構成のシャワーシステムは、介護用のシャワーシステムとして好適である。
【発明の効果】
【００２０】
本発明によれば、介助作業の負担を軽減できるシャワーシステムを提供できる。また、本発明によれば、要介助者の安全を確保し易いシャワーシステムを提供できる。
【図面の簡単な説明】
【００２１】
【図１】本発明の実施形態に係るシャワーシステムの配管構成を示すブロック図
【図２】本発明の実施形態に係るシャワーシステムが備えるシャワーヘッドの構成を示す概略正面図
【図３】本発明の実施形態に係るシャワーシステムが備えるシャワーヘッドの構成を示す概略背面図
【図４】本発明の実施形態に係るシャワーシステムが備える電気的な構成を示すブロック図
【発明を実施するための形態】
【００２２】
以下、本発明の実施形態に係るシャワーシステムについて、図面を参照しながら詳細に説明する。
【００２３】
図１は、本発明の実施形態に係るシャワーシステムの配管構成を示すブロック図である。図１に示すように、本実施形態のシャワーシステムは、シャワーヘッド１と、可撓性のホースを含む給液管２を介してシャワーヘッド１に接続されるミキシング部３と、を備えている。本実施形態のシャワーシステムは、ミキシング部３から供給される所定温度の水をシャワーヘッド１から吐出可能である。
【００２４】
なお、シャワーヘッド１は、給液管２が可撓性のホースを含むために、手で持って三次元方向に移動させながら使用することができる。すなわち、本実施形態のシャワーシステムは、いわゆるハンドシャワーシステムとして機能する。なお、給液管２は、可撓性のホースのみで構成されてもよいが、例えばホースとパイプとを連結して構成したものであってもよい。
【００２５】
図２は、本発明の実施形態に係るシャワーシステムが備えるシャワーヘッド１の構成を示す概略正面図である。図３は、本発明の実施形態に係るシャワーシステムが備えるシャワーヘッド１の構成を示す概略背面図である。図２及び図３に示すように、シャワーヘッド１は、長手方向の一端側（図２及び図３においては下端側）に接続部１０を備える。当該接続部１０に可撓性のホースを接続することによって、ホース内を流れる液体をシャワーヘッド１内に流し込むことが可能になる。
【００２６】
また、シャワーヘッド１は、長手方向の他端側（図２及び図３において上端部）に、複数のシャワー孔１１ａが設けられた吐液部１１を備えている。可撓性のホースを介してシャワーヘッド１内に流し込まれた液体は、シャワー孔１１ａからシャワーヘッド１外へと吐出される。
【００２７】
更に、シャワーヘッド１は、吐液部１１が設けられる面とは反対側の面に、遠隔操作部１２を備えている。本実施形態においては、遠隔操作部１２は、圧電無線スイッチを用いて構成されている。圧電無線スイッチ１２は、４つのボタン１２ａ〜１２ｄを備えている。圧電無線スイッチ１２は、各ボタン１２ａ〜１２ｄの押圧によって変形して発電する発電部（不図示）と、当該発電部が発生した電力を用いて無線信号を送信する通信部（不図示）と、を備えている。発電部は、例えば圧電素子を用いて構成できる。各ボタン１２ａ〜１２ｄの押圧によって送信される無線信号は、互いに識別可能な異なる信号である。
【００２８】
なお、本実施形態のように圧電無線スイッチ１２を用いると、シャワーヘッド１にバッテリーを搭載する必要がなく、またシャワーヘッド１からケーブル線を引き回す必要がないので便利である。ただし、遠隔操作部１２は、圧電無線スイッチを用いないで構成しても構わない。この場合、遠隔操作部１２は、例えば、バッテリーと無線通信部とを含む構成であっても構わない。また、例えば無線通信部に代えて赤外線通信部を備える構成等であっても構わない。ただし、無線通信を利用する方が、シャワーヘッド１の方向に関係なく操作できるので好ましい。
【００２９】
図１に戻って、ミキシング部３は、給湯設備等の給湯源から供給される高温水（湯）と、水道配管等の給水源から供給される低温水とを設定温度となるように混合する。そして、ミキシング部３は、設定温度となるように混合された適温水をミキシング部３に接続される給液管２に供給可能に設けられている。
【００３０】
なお、ミキシング部３における温度設定は、例えば温度調節ハンドルを用いる方式やボタンを用いる方式等であってよい。また、ミキシング部３は、サーモスタットを用いて自動的に温度調節するものであってもよいし、そうでなくてもよい。
【００３１】
ミキシング部３は、外部に供給する水の流量を調整可能とする流量調整弁を更に備えている。流量調整弁は、本実施形態では電気的に駆動される電気駆動弁で構成されている。流量調整弁は、水の供給を停止する機能（止水機能）も備えている。例えば、流量調整弁は、モーターの駆動によって弁体の位置を移動させ、給水路の開度を連続的に変化させることによって流量を調整すると共に、給水路を全閉することによって水の供給を停止する構成のものであってよい。
【００３２】
なお、本実施形態ではミキシング部３が流量調整弁を備える構成としているが、流量調整弁はミキシング部から独立して設けられてもよい。
【００３３】
シャワーヘッド１とミキシング部３とを接続する給液管２には、第１の枝分かれ管２ａと、第２の枝分かれ管２ｂと、第３の枝分かれ管２ｃとが連結されている。これら３つの枝分かれ管２ａ、２ｂ、２ｃは、いずれも、例えば金属製のパイプで構成されてもよいが、可撓性を有するホース等で構成されてもよい。また、これらの枝分かれ管２ａ、２ｂ、２ｃは、給液管２にジョイントを用いて連結されてよい。
【００３４】
第１の枝分かれ管２ａの先端部は、ボディーソープ貯蔵部４に繋がっている。ボディーソープ貯蔵部４は、例えば樹脂製や金属製の容器を用いて構成されており、容器内にボディーソープが充填されている。なお、ボディーソープは本発明の洗身用の石鹸液の一例である。ボディーソープには、例えばアロマオイル等の他の液が混ぜられてもよい。ボディーソープ貯蔵部４は、ポンプを備えており、ポンプの駆動によって容器内のボディーソープを第１の枝分かれ管２ａに供給できるようになっている。
【００３５】
第１の枝分かれ管２ａの途中には、第１切換弁５が配置されている。第１切換弁５は、電気を利用して駆動するものであり、例えば電磁弁であってよい。第１切換弁５が閉じた状態の場合には、ボディーソープを給液管２に向けて供給することができない。一方、第１切換弁５が開いた状態の場合には、ボディーソープを給液管２に向けて供給できる。
【００３６】
第２の枝分かれ管２ｂの先端部は、シャンプー貯蔵部６に繋がっている。シャンプー貯蔵部６は、例えば樹脂製や金属製の容器を用いて構成されており、容器内にシャンプーが充填されている。なお、シャンプーは本発明の洗髪液の一例である。シャンプーには、例えばリンス等の他の液が混ぜられていてもよい。シャンプー貯蔵部６は、ポンプを備えており、ポンプの駆動によって容器内のシャンプーを第２の枝分かれ管２ｂに供給できるようになっている。
【００３７】
第２の枝分かれ管２ｂの途中には、第２切換弁７が配置されている。第２切換弁７は、電気を利用して駆動するものであり、例えば電磁弁であってよい。第２切換弁７が閉じた状態の場合には、シャンプーを給液管２に向けて供給することができない。一方、第２切換弁７が開いた状態の場合には、シャンプーを給液管２に向けて供給できる。
【００３８】
第３の枝分かれ管２ｃの先端部は、薬液貯蔵部８に繋がっている。薬液貯蔵部８は、例えば樹脂製や金属製の容器を用いて構成されており、容器内に清掃時に使用する薬液が充填されている。なお、薬液は、殺菌や消毒を行えるものであるのが好ましく、例えば塩素系薬剤を水で希釈したものであってよい。薬液貯蔵部８は、ポンプを備えており、ポンプの駆動によって容器内の薬液を第３の枝分かれ管２ｃに供給できるようになっている。
【００３９】
第３の枝分かれ管２ｃの途中には、第３切換弁９が配置されている。第３切換弁９は、電気を利用して駆動するものであり、例えば電磁弁であってよい。第３切換弁９が閉じた状態の場合には、薬液を給液管２に向けて供給することができない。一方、第３切換弁９が開いた状態の場合には、薬液を給液管２に向けて供給できる。
【００４０】
図４は、本発明の実施形態に係るシャワーシステムが備える電気的な構成を示すブロック図である。図４に示すように、本実施形態のシャワーシステムは、マイコンや無線通信部を含むコントローラー１３を備えている。コントローラー１３は、シャワーシステムが介護用の入浴装置に付設される場合には、当該入浴装置に組み込まれてもよい。この場合、コントローラー１３は、入浴装置を制御するコントローラーと兼用されてよい。また、コントローラー１３は、浴室の壁等に取り付けられても構わない。なお、コントローラー１３は、本発明の制御部の一例である。
【００４１】
コントローラー１３は、遠隔操作部１２から送信される無線信号を受信して、受信した情報に基づいて、切換部１４や駆動部１５の制御を行う。切換部１４には、上述の第１切換弁５、第２切換弁７、第３切換弁９、及び、ミキシング部３に備えられる流量調整弁１６が含まれる。また、駆動部１５には、ボディーソープ貯蔵部４に付属されるボディーソープ用ポンプ１７、シャンプー貯蔵部６に付属されるシャンプー用ポンプ１８、及び、薬液貯蔵部８に付属される薬液用ポンプ１９が含まれる。なお、コントローラー１３は、給湯設備（給湯源）を適宜制御するものであっても構わない。
【００４２】
例えば、シャワーヘッド１から設定温度に調整された水（上水）を吐出させたい場合には、使用者（例えば介助者）は、遠隔操作部１２の水ボタン１２ａを押す。これに応じて、コントローラー１３によって流量調整弁１６が制御されて、ミキシング部３からシャワーヘッド１に所定の流量の水が供給可能になり、設定温度の水がシャワーヘッド１から吐出される。この後、再度水ボタン１２ａが押されると、コントローラー１３によって流量調整弁１６が制御されて、シャワーヘッド１からの水の吐出が停止される。
【００４３】
また、シャワーヘッド１からボディーソープを吐出させたい場合には、使用者は、遠隔操作部１２のボディーソープボタン１２ｂを押す。これに応じて、コントローラー１３によって第１切換弁５及びボディーソープ用ポンプ１７が制御され、ボディーソープがシャワーヘッド１から吐出される。この後、再度ボディーソープボタン１２ｂが押されると、コントローラー１３によって第１切換弁５及びボディーソープ用ポンプ１７が制御されて、シャワーヘッド１からのボディーソープの吐出が停止される。
【００４４】
また、シャワーヘッド１からシャンプーを吐出させたい場合には、使用者は、遠隔操作部１２のシャンプーボタン１２ｃを押す。これに応じて、コントローラー１３によって第２切換弁７及びシャンプー用ポンプ１８が制御され、シャンプーがシャワーヘッド１から吐出される。この後、再度シャンプーボタン１２ｃが押されると、コントローラー１３によって第２切換弁７及びシャンプー用ポンプ１８が制御されて、シャワーヘッド１からのシャンプーの吐出が停止される。
【００４５】
また、シャワーヘッド１から薬液を吐出させたい場合には、使用者は、遠隔操作部１２の薬液ボタン１２ｄを押す。これに応じて、コントローラー１３によって第３切換弁９及び薬液用ポンプ１９が制御され、薬液がシャワーヘッド１から吐出される。この後、再度薬液ボタン１２ｄが押されると、コントローラー１３によって第３切換弁９及び薬液用ポンプ１９が制御されて、シャワーヘッド１からの薬液の吐出が停止される。
【００４６】
なお、シャワーヘッド１から或る種類の液体が吐出している状態で、他の種類の液体をシャワーヘッド１から出すためのボタン１２ａ〜１２ｄが押された場合、複数種類の液体が混合された状態でシャワーヘッド１から吐出されるようにしてもよい。
【００４７】
例えば、シャワーヘッド１から水が出ている状態で、シャンプーボタン１２ｃが押された場合、水にシャンプーが混合された液体がシャワーヘッド１から吐出されるようにしてもよい。この際、シャンプーボタン１２ｃが押された際に、水の流量がシャンプーとの混合に適した流量となるように自動的に変更されるようにしてもよい。このような流量の自動変更は、水とシャンプーとの混合に限らず、他の種類の液体の混合の場合にも勿論適用されてよい。
【００４８】
また、逆に、シャワーヘッド１から或る種類の液体が吐出している状態で、他の種類の液体をシャワーヘッド１から出すためのボタン１２ａ〜１２ｄが押された場合、先にシャワーヘッド１から吐出されている液体の吐出は自動的に停止されるようにしてもよい。
【００４９】
また、例えば、ボディーソープ、シャンプー、或いは、薬液をシャワーヘッド１から吐出するためのボタン１２ｂ〜１２ｄが押された場合には、該当の種類の液体に加えて、所定の流量の水がシャワーヘッド１から吐出されるようにしてもよい。前述の所定の流量は、水と混合する液体の種類のよって適宜変更されて構わない。
【００５０】
以上のように構成される本実施形態のシャワーシステムによれば、シャワーヘッド１の水ボタン１２ａを押すことによって、シャワーヘッド１から水を出したり止めたりすることができる。このために、介助者等は、シャワーヘッド１から水を出したり止めたりする際に、一々ミキシング部３がある位置まで移動しなくてもよく、効率良く介助作業を行うことができる。また、一々ミキシング部３がある位置まで移動しなくてもよいので、要介助者から目を離す時間を少なくできる。
【００５１】
また、本実施形態のシャワーシステムによれば、シャワーヘッド１を持ったままボディーソープボタン１２ｂやシャンプーボタン１２ｃを押すだけで、シャワーヘッド１からボディーソープやシャンプーを出すことができる。このために、ボディーソープやシャンプーの準備のために、手に持ったシャワーヘッド１を一時的に離す必要がなく、効率良く介助作業を行える。また、ボディーソープやシャンプーの準備作業を省略できるので、要介助者から目を離す時間を少なくできる。
【００５２】
そして、本実施形態のシャワーシステムによれば、例えばボディーソープやシャンプーといった洗剤や排泄物を洗い流したい場合に、手元のボタン操作だけで簡単に水のみがシャワーヘッド１から出る状態に切り換えることできる。この点からも、介助作業が効率良く行えると共に、要介助者の安全を確保し易い。
【００５３】
また、本実施形態のシャワーシステムによれば、要介助者の入浴が終わった後に、シャワーヘッド１に設けられる薬液ボタン１２ｄを押すだけで、簡単にシャワーヘッド１から薬液を出して浴槽、洗浄台、浴室の消毒や殺菌作業を行うことができる。このために、介助者は、清掃作業を楽に行える。
【００５４】
なお、薬液は、人体にかかっても良い安全なものとするのが好ましい。また、薬液の使用後（例えば薬液の吐出を止めるために薬液ボタン１２ｄが押された後）には、コントローラー１３の制御によって、自動的に水が所定の期間シャワーヘッド１から吐出されるようにしてもよい。また、薬液の使用後に、水を暫く出すように促す報知手段が設けられてもよい。報知手段は、例えば音や光等によって、使用者に水を暫く出すことを促すものであってよい。
【００５５】
また、本実施形態のシャワーシステムにおいては、遠隔操作部１２がシャワーヘッド１の吐液部１１が設けられる面と反対側の面になっている。介助者が本実施形態のシャワーシステムを利用する場合、自分の前方に向けて液体が吐出されるようにシャワーヘッド１を持つのが通常である。このために、本実施形態のように遠隔操作部１２を配置することによって、介助者は遠隔操作部１２を操作し易くなる。
【００５６】
以上に示した実施形態は、本発明の例示にすぎない。以上に示した実施形態の構成は、本発明の技術的思想を超えない範囲で適宜変更されて構わない。
【００５７】
例えば、以上に示した実施形態では、シャワーヘッド１から吐出される液の種類を、水、ボディーソープ、シャンプー、薬液の４種類としたが、この構成は例示にすぎない。シャワーヘッド１から吐出される液体の種類が複数である場合に本発明は広く適用可能である。シャワーヘッド１から吐出される液の種類数に応じて、遠隔操作部１２のボタンの数等を適宜増減して構わない。また、上記４種類の液体に加えて、或いは、上記４種類の少なくともいずれか１つの代わりに、例えばリンス、コンディショナー、アロマオイル等がシャワーヘッド１から吐出されるようにしてもよい。
【００５８】
また、以上に示した実施形態では、水の流量や温度は、遠隔操作部１２のボタン操作によって変更できない構成となっているが、これは一例にすぎない。例えば、遠隔操作部１２のボタンの数を増やしたり、遠隔操作部１２で選択できる液体の種類を減らしたりして、水の流量調整や温度調整を行えるようにしてもよい。
【００５９】
なお、本実施形態のように、遠隔操作部１２のボタン操作によって水の流量調整が行えない構成を採用する場合には、シャワーヘッド１にメカ的に流量調整を行える機構を導入してもよい。
【００６０】
また、本発明は介護用シャワーシステムとして好適であるが、介護現場以外の場所に設けられるシャワーシステムに本発明が適用されても勿論構わない。また、本発明のシャワーシステムは、例えば介護用の入浴装置に好適に装備できるが、介護用の入浴装置に装備されない状態で使用されても勿論構わない。
【符号の説明】
【００６１】
１    シャワーヘッド
３    ミキシング部
４    ボディーソープ貯蔵部
５    第１切換部
６    シャンプー貯蔵部
７    第２切換部
８    薬液貯蔵部
９    第３切換部
１２  圧電無線スイッチ、遠隔操作部
１３  コントローラー（制御部）
１４  切換部
１５  駆動部
１６  流量調整弁
１７  ボディーソープ用ポンプ
１８  シャンプー用ポンプ
１９  薬液用ポンプ
【図１】
2017023387.tif 000003
【図２】
2017023387.tif 000004
【図３】
2017023387.tif 000005
【図４】
2017023387.tif 000006